(57)【要約】【課題】  洗浄液がスペーサ粒子分散液の吐出口に浸入してスペーサ粒子分散液の吐出不良を生ずることを防止する。【解決手段】  洗浄ユニット３１は、インクジェットヘッドにおけるスペーサ粒子分散液の吐出口からスペーサ粒子分散液の吐出方向に第１の距離だけ離隔した位置に配置され、インクジェットヘッドにおける前記吐出口から当該吐出口の列設方向と直交する方向に離隔した位置に向けて洗浄液を吐出する洗浄液吐出口６２と、スペーサ粒子分散液の吐出口からスペーサ粒子分散液の吐出方向に前記第１の距離より小さい第２の距離だけ離隔し、かつ、洗浄液吐出口６２からインクジェットヘッドにおけるスペーサ粒子分散液の吐出口の列設方向に離隔した位置に配置された洗浄液吸引口６６と、洗浄ユニット３１をスペーサ粒子分散液の吐出口の列設方向に向けて移動させる移動機構とを備える。【選択図】        図１２
2010210771.tif 000002
【特許請求の範囲】
【請求項１】
液晶表示装置の製造時に、基板間にスペーサ粒子を介在させることにより液晶層封入用のギャップを形成するため、基板上にインクジェット方式によりスペーサ粒子を分散させたスペーサ粒子分散液を塗布することにより、スペーサ粒子を含むスペーサ領域を形成するインクジェット塗布装置であって、
基板をインクジェットヘッドユニットに対して相対的に一方向に移動させる移動機構を備え、
前記インクジェットヘッドユニットは、多数のスペーサ粒子分散液の吐出口が、前記移動機構により移動される基板の移動方向に交差する方向に列設されたインクジェットヘッドを、前記基板の移動方向と交差する方向に複数個列設した構成を有し、前記移動機構により移動される基板にスペーサ粒子分散液を吐出して基板の表面にスペーサ粒子分散液を塗布するものであり、
洗浄ユニットを有し、前記インクジェットヘッドを洗浄する洗浄部を備え、
前記洗浄ユニットは、
前記インクジェットヘッドにおけるスペーサ粒子分散液の吐出口から、スペーサ粒子分散液の吐出方向に第１の距離だけ離隔した位置に配置され、前記インクジェットヘッドにおける前記スペーサ粒子分散液の吐出口から当該スペーサ粒子分散液の吐出口の列設方向と直交する方向に離隔した位置に向けて洗浄液を吐出する洗浄液吐出口と、
前記スペーサ粒子分散液の吐出口から、スペーサ粒子分散液の吐出方向に前記第１の距離より小さい第２の距離だけ離隔し、かつ、前記洗浄液吐出口から前記インクジェットヘッドにおける前記スペーサ粒子分散液の吐出口の列設方向に離隔した位置に配置され、前記スペーサ粒子分散液の吐出口付近に吐出された洗浄液を吸引する洗浄液吸引口と、
前記洗浄液吐出口と前記洗浄液吸引口とを、前記スペーサ粒子分散液の吐出口の列設方向に向けて移動させる移動機構と、
を備えたことを特徴とするインクジェット塗布装置。
【請求項２】
請求項１に記載のインクジェット塗布装置において、
前記洗浄ユニットは、
前記インクジェットヘッドにおける前記スペーサ粒子分散液の吐出口から当該スペーサ粒子分散液の吐出口の列設方向と直交する方向に離隔した両側の位置に当接可能な一対の当接部を有する当接ブロックを備え、前記洗浄液吸引口は前記一対の当接部の間に形成されているインクジェット塗布装置。
【請求項３】
請求項２に記載のインクジェット塗布装置において、
前記当接ブロックを前記インクジェットヘッドの下面に弾性力を持って当接させる弾性部材を備えたインクジェット塗布装置。
【請求項４】
請求項１乃至請求項３のいずれかに記載のインクジェット塗布装置において、
前記洗浄ユニットは、前記インクジェットヘッドユニットにおけるインクジェットヘッドと同数配設されており、
前記移動機構は、これらの洗浄ユニットを一括して移動させることにより、前記洗浄液吐出口と前記洗浄液吸引口とを、前記スペーサ粒子分散液の吐出口の列設方向に向けて移動させるインクジェット塗布装置。
【発明の詳細な説明】
【技術分野】
【０００１】
この発明は、基板上にインクジェット方式によりスペーサ粒子を分散させたスペーサ粒子分散液を塗布することにより、スペーサ粒子を含むスペーサ領域を形成するためのインクジェット塗布装置に関する。
【背景技術】
【０００２】
液晶表示装置は、２枚の基板の間に、透明電極、カラーフィルターおよびブラックマトリックスが配置され、さらに透明電極間の空間に液晶が封入された構成を有する。このときに、２枚の基板の間隔を規制し、液晶層の厚みを適正にするために、スペーサが形成される。
【０００３】
従来、このスペーサは、フォトリソ法を利用して形成されていたが、マスクを使用した工程が必要となり作業工程が煩雑となるばかりではなく、材料の使用効率が悪いという問題がある。このため、基板にインクジェット方式でスペーサ粒子を分散させたスペーサ粒子分散液を吐出することにより、スペーサ粒子でスペーサを形成する液晶表示装置の製造方法が提案されている（特許文献１参照）。
【０００４】
ところで、このような液晶表示装置の製造方法においては、インクジェット塗布装置が使用される。すなわち、多数の吐出口を備えたインクジェットヘッドを複数個列設したインクジェットヘッドユニットを、液晶表示装置用の透明基板に対して相対移動させ、それらのインクジェットヘッドから透明基板にスペーサ粒子を分散させたスペーサ粒子分散液を吐出させることにより、透明基板の表面にスペーサ粒子を含むスペーサ領域を形成している。
【０００５】
このようなインクジェット塗布装置においては、微細なスペーサ粒子分散液の液滴を連続して大量に吐出する構成であることから、インクジェットヘッドが汚染されやすい。特に、主液滴とは別に発生する飛沫のような液滴が気流の影響を受け、インクジェットヘッドの下面に付着することにより、インクジェットヘッドの汚染が生ずるものと考えられる。このような汚染が生じたときには、一部の吐出口からスペーサ粒子分散液が吐出しないノズル欠けや、吐出されるスペーサ粒子分散液の液滴の方向が変化する飛翔曲がりといった現象が発生する。このため、インクジェットヘッドユニットを一定時間毎に洗浄する必要が生ずる。
【０００６】
従来のインクジェットプリンターにおいては、ワイプ液漕に貯留したワイプ液とインクジェットヘッドとを当接させた後、表面張力によってワイプ液を除去する洗浄装置が提案されている（特許文献２参照）。
【先行技術文献】
【特許文献】
【０００７】
【特許文献１】特開２００５−４０９４号公報
【特許文献２】特開２００６−４３９６３号公報
【発明の概要】
【発明が解決しようとする課題】
【０００８】
特許文献２に記載された洗浄装置は、インクジェット塗布装置の稼働を停止した上でインクジェットヘッドの洗浄を行う場合には有効であるが、インクジェット塗布装置の稼働中に洗浄を行う場合には、スペーサ粒子分散液の吐出口に洗浄液が入り込んでしまうという問題が生ずる。
【０００９】
すなわち、インクジェットヘッドにおいては、スペーサ粒子分散液が吐出口から滴下することを防止するため、常に吐出口内を負圧にして外気の吸引を行っている。このような状態で、インクジェットヘッドと洗浄液とを接触させた場合には、スペーサ粒子分散液の吐出口内に洗浄液が浸入し、ノズル欠けと呼ばれる吐出不良が発生する。
【００１０】
この発明は上記課題を解決するためになされたものであり、洗浄液がスペーサ粒子分散液の吐出口に浸入してスペーサ粒子分散液の吐出不良を生ずることを防止することができる洗浄ユニットを備えたインクジェット塗布装置を提供することを目的とする。
【課題を解決するための手段】
【００１１】
請求項１記載の発明は、液晶表示装置の製造時に、基板間にスペーサ粒子を介在させることにより液晶層封入用のギャップを形成するため、基板上にインクジェット方式によりスペーサ粒子を分散させたスペーサ粒子分散液を塗布することにより、スペーサ粒子を含むスペーサ領域を形成するインクジェット塗布装置であって、基板をインクジェットヘッドユニットに対して相対的に一方向に移動させる移動機構を備え、前記インクジェットヘッドユニットは、多数のスペーサ粒子分散液の吐出口が、前記移動機構により移動される基板の移動方向に交差する方向に列設されたインクジェットヘッドを、前記基板の移動方向と交差する方向に複数個列設した構成を有し、前記移動機構により移動される基板にスペーサ粒子分散液を吐出して基板の表面にスペーサ粒子分散液を塗布するものであり、洗浄ユニットを有し、前記インクジェットヘッドを洗浄する洗浄部を備え、前記洗浄ユニットは、前記インクジェットヘッドにおけるスペーサ粒子分散液の吐出口から、スペーサ粒子分散液の吐出方向に第１の距離だけ離隔した位置に配置され、前記インクジェットヘッドにおける前記スペーサ粒子分散液の吐出口から当該スペーサ粒子分散液の吐出口の列設方向と直交する方向に離隔した位置に向けて洗浄液を吐出する洗浄液吐出口と、前記スペーサ粒子分散液の吐出口から、スペーサ粒子分散液の吐出方向に前記第１の距離より小さい第２の距離だけ離隔し、かつ、前記洗浄液吐出口から前記インクジェットヘッドにおける前記スペーサ粒子分散液の吐出口の列設方向に離隔した位置に配置され、前記スペーサ粒子分散液の吐出口付近に吐出された洗浄液を吸引する洗浄液吸引口と、前記洗浄液吐出口と前記洗浄液吸引口とを、前記スペーサ粒子分散液の吐出口の列設方向に向けて移動させる移動機構とを備えたことを特徴とする。
【００１２】
請求項２に記載の発明は、請求項１に記載の発明において、前記洗浄ユニットは、前記インクジェットヘッドにおける前記スペーサ粒子分散液の吐出口から当該スペーサ粒子分散液の吐出口の列設方向と直交する方向に離隔した両側の位置に当接可能な一対の当接部を有する当接ブロックを備え、前記洗浄液吸引口は前記一対の当接部の間に形成されている。
【００１３】
請求項３に記載の発明は、請求項２に記載の発明において、前記当接ブロックを前記インクジェットヘッドの下面に弾性力を持って当接させる弾性部材を備えている。
【００１４】
請求項４に記載の発明は、請求項１乃至請求項３のいずれかに記載の発明において、前記洗浄ユニットは、前記インクジェットヘッドユニットにおけるインクジェットヘッドと同数配設されており、前記移動機構は、これらの洗浄ユニットを一括して移動させることにより、前記洗浄液吐出口と前記洗浄液吸引口とを、前記スペーサ粒子分散液の吐出口の列設方向に向けて移動させる。
【発明の効果】
【００１５】
請求項１に記載の発明によれば、インクジェットヘッドの洗浄時に、洗浄液がスペーサ粒子分散液の吐出口に浸入してスペーサ粒子分散液の吐出不良を生ずることを防止することが可能となる。
【００１６】
請求項２および請求項３に記載の発明によれば、洗浄液吐出口および洗浄液吸引口とインクジェットヘッドとの距離を一定に維持することが可能となる。
【００１７】
請求項３に記載の発明によれば、当接ブロックをインクジェットヘッドに対して容易に移動させることが可能となる。
【００１８】
請求項４に記載の発明によれば、複数のインクジェットヘッドを一括して効率的に洗浄することができ、また、洗浄ユニット移動機構の構成を簡易なものとすることが可能となる。
【図面の簡単な説明】
【００１９】
【図１】表面にスペーサ粒子分散液が吐出された後の透明基板１の一部を示す部分表面図である。
【図２】この発明に係るインクジェット塗布装置の斜視図である。
【図３】ガントリー１３をその下面から見た斜視図である。
【図４】インクジェットヘッドユニット１２をその下面から見た斜視図である。
【図５】インクジェットヘッド１８の一部をその下面から見た斜視図である。
【図６】インクジェットヘッドユニット１２の移動機構を示す斜視図である。
【図７】透明基板１におけるブラックマトリックス７のピッチとインクジェットヘッド１８におけるスペーサ粒子分散液の吐出口１９の配置との関係を示す説明図である。
【図８】洗浄部２２の斜視図である。
【図９】洗浄部２２の斜視図である。
【図１０】洗浄部２２を洗浄部移動機構とともに示す斜視図である。
【図１１】回転テーブル３６を取り外して見た洗浄部２２付近の斜視図である。
【図１２】洗浄ユニットを拡大して示す斜視図である。
【図１３】基部６３に形成された洗浄液吐出口６２とインクジェットヘッド１８におけるスペーサ粒子分散液の吐出口１９との配置関係を示す説明図である。
【図１４】基部６３上に配設された当接ブロック６５の斜視図である。
【図１５】当接ブロック６５とインクジェットヘッド１８の下面との当接状態を示す断面図である。
【図１６】洗浄ユニット３１の昇降機構を示す概要図である。
【発明を実施するための形態】
【００２０】
以下、この発明の実施の形態を図面に基づいて説明する。最初に、基板上にインクジェット方式によりスペーサ粒子を分散させたスペーサ粒子分散液を塗布することにより、スペーサ粒子を含むスペーサ領域を形成して、液晶層封入用のギャップを形成する、この発明に係るインクジェット塗布装置を利用した液晶表示装置の製造方法について説明する。
【００２１】
図１は、表面にスペーサ粒子分散液が吐出された後の透明基板１の一部を示す部分表面図である。
【００２２】
この液晶表示装置の製造方法は、液晶の封入工程等の前工程として実行されるものであり、透明基板間にスペーサ粒子を介在させることにより液晶層封入用のギャップを形成するためのものである。
【００２３】
この液晶表示装置の製造方法を実行するときには、最初に、スペーサ領域生成工程を実行する。このスペーサ領域生成工程においては、透明基板上にインクジェット方式によりスペーサ粒子を分散させたスペーサ粒子分散液を吐出することによりスペーサ粒子を含むスペーサ領域を形成する。このときには、多数のインクジェットヘッドを列設したインクジェットヘッドユニットを透明基板１に対して相対的に移動することにより、透明基板の表面にスペーサ粒子分散液を吐出するこの発明に係るインクジェット塗布装置が使用される。
【００２４】
この透明基板１の表面には、それぞれ画素領域であるレッドのカラーフィルターの領域Ｒと、グリーンのカラーフィルターの領域Ｇと、ブルーのカラーフィルターの領域Ｂと、これらの画素領域を区画するブラックマトリックス７とが構成される。そして、スペーサ粒子分散液は、ブラックマトリックス７に向けて吐出され、そこにスペーサ領域５が形成される。
【００２５】
スペーサ領域生成工程に引き続き、乾燥工程を実行する。この乾燥工程は、透明基板１をホットプレートに搬送し、この透明基板１をホットプレート上で加熱することにより、スペーサ粒子分散液から揮発成分を蒸発させるとともに、スペーサ領域５のスペーサ粒子を透明基板１に固着させる工程である。
【００２６】
この工程においては、最初にスペーサ粒子分散液から揮発成分が蒸発することから、表面張力によりスペーサ領域５のスペーサ粒子同士が互いに集まって接触する。そして、それらが焼成されて互いに固着するとともに、透明基板１の表面に対しても強い力で固着する。このため、このスペーサ領域５のスペーサ粒子により、液晶層封入用のギャップを形成することができる。
【００２７】
次に、この発明に係るインクジェット塗布装置の構成について説明する。図２は、この発明に係るインクジェット塗布装置の斜視図である。
【００２８】
このインクジェット塗布装置は、透明基板１を支持するテーブル１１と、１２個のインクジェットヘッドユニット１２を支持するガントリー１３とを備える。テーブル１１は、基台１４上に配設されたリニアモータ１５の駆動を受け、一対のガイド部材１６により案内された状態で、ガントリー１３におけるインクジェットヘッドユニット１２の列設方向と直交する主走査方向に往復移動する。このため、透明基板１を載置したテーブル１１を主走査方向に移動させながら１２個のインクジェットヘッドユニット１２よりスペーサ粒子分散液を吐出することにより、透明基板１にスペーサ粒子を含むスペーサ領域を形成することができる。
【００２９】
ガントリー１３の両端部には、一対のリニアモータ２１が配設されており、ガントリー１３はこれらのリニアモータ２１を介して基台１４に支持されている。このため、ガントリー１３は、これらのリニアモータ２１を個別に駆動することにより、テーブル１１による透明基板１の搬送方向との交差角度を変更することができる構成となっている。
【００３０】
基台１４の一端には、インクジェットヘッドユニット１２を洗浄する洗浄部２２が配設されている。この洗浄部２２は、テーブル１１による透明基板１の搬送方向と直交する方向に往復移動可能となっている。また、この洗浄部２２の移動経路に沿って、インクジェットヘッドユニット１２の乾燥を防止するための、１２個の乾燥防止部２３が配設されている。後述する各インクジェットヘッド１８は、待機時においては、これらの乾燥防止部２３と対向配置される。
【００３１】
図３は、ガントリー１３をその下面から見た斜視図である。また、図４は、インクジェットヘッドユニット１２をその下面から見た斜視図である。さらに、図５は、インクジェットヘッド１８の一部をその下面から見た斜視図である。
【００３２】
これらの図に示すように、ガントリー１３に支持された１２個のインクジェットヘッドユニット１２には、ヘッド支持板１７が配設されており、このヘッド支持板１７には、５個のインクジェットヘッド１８が配設されている。このインクジェットヘッド１８には、図５に示すように、多数のスペーサ粒子分散液の吐出口１９が一方向に列設されている。
【００３３】
図６は、インクジェットヘッドユニット１２の移動機構を示す斜視図である。なお、この図においては、１２個のインクジェットヘッドユニット１２のうちの１個のみを図示している。
【００３４】
ガントリー１３における透明基板１の搬送方向の両端部には、リニアガイド２４と、リニアスケール２５と、リニアモータ２６とが、その長手方向を透明基板１の搬送方向と交差する方向に向けて配設されている。そして、インクジェットヘッドユニット１２を支持する支持板２７の下面には、図示しないリニアモータ２６の可動子が配設されている。
【００３５】
このため、各支持板２７は、その両端をリニアガイド２４により案内された状態で、リニアモータ２６の駆動により透明基板１の搬送方向と交差する方向に移動する。そして、その移動量は、リニアスケール２５により測定される。このため、このインクジェットヘッドユニット１２の移動機構により、各インクジェットヘッドユニット１２を設定された移動量だけ透明基板１の搬送方向と交差する方向に移動させることにより、インクジェットヘッドユニット１２のピッチを変更することが可能となる。
【００３６】
上述したように、ガントリー１３は、一対のリニアモータ２１を個別に駆動することにより、テーブル１１による透明基板１の搬送方向との交差角度を変更することができる構成となっている。そして、ガントリー１３の角度が変更されることにより、ガントリー１３に支持されたインクジェットヘッドユニット１２の角度も変更され、これに伴って、インクジェットヘッドユニット１２に配設されたインクジェットヘッド１８におけるスペーサ粒子分散液の吐出口１９の列設方向と透明基板１の搬送方向との交差角度が変更されることになる。
【００３７】
なお、上述したように、インクジェットヘッドユニット１２のピッチと、インクジェットヘッド１８におけるスペーサ粒子分散液の吐出口１９の列設方向と透明基板１の搬送方向との交差角度とを変更する構成を採用しているのは、以下のような理由によるものである。
【００３８】
図７は、透明基板１におけるブラックマトリックス７のピッチとインクジェットヘッド１８におけるスペーサ粒子分散液の吐出口１９の配置との関係を示す説明図である。
【００３９】
ブラックマトリックス７のピッチは、液晶表示装置の種類やその製造メーカ等によって異なっている。このようなブラックマトリックス７のピッチに対応するには、図７に示すように、インクジェットヘッド１８におけるスペーサ粒子分散液の吐出口１９の列設方向と透明基板１の搬送方向との交差角度を変更すればよい。そして、複数のインクジェットヘッド１８間においてスペーサ粒子分散液の吐出口１９のピッチを調整するためには、隣り合うインクジェットヘッドユニット１２間において、インクジェットヘッドユニット１２同士の距離を変更すればよい。このような理由から、このインクジェット塗布装置においては、インクジェットヘッドユニット１２のピッチと、ガントリー１３と透明基板１の搬送方向との交差角度とを変更する構成を採用している。
【００４０】
以上のような構成を有するインクジェット塗布装置を使用して透明基板１にスペーサ粒子分散液を塗布するときには、最初に、透明基板１をテーブル１１上に位置決めして固定する。また、透明基板１におけるブラックマトリックス７のピッチに対応させて、インクジェットヘッド１８におけるスペーサ粒子分散液の吐出口１９の列設方向と透明基板１の搬送方向との交差角度と、インクジェットヘッドユニット１２のピッチとを変更する。
【００４１】
この状態において、テーブル１１を透明基板１とともに主走査方向に移動させながら、１２個のインクジェットヘッドユニット１２における各インクジェットヘッド１８からスペーサ粒子分散液を吐出することにより、透明基板１におけるブラックマトリックス７上にスペーサ粒子を含むスペーサ領域を形成することができる。
【００４２】
次に、この発明の特徴部分である洗浄部２２の構成について説明する。図８および図９は、洗浄部２２を互いに異なる方向から見た斜視図である。また、図１０は、洗浄部２２を洗浄部移動機構とともに示す斜視図である。さらに、図１１は、後述の回転テーブル３６を取り外して見た洗浄部２２付近の斜視図である。
【００４３】
この洗浄部２２は、５個の洗浄ユニット３１と、５個の捕獲部３２と、５個の吸引キャップ３３とを備えた洗浄ボックス３４と、超音波洗浄ユニット３５とを備える。これらの洗浄ボックス３４および超音波洗浄ユニット３５は、回転テーブル３６上に配設されている。
【００４４】
図８に示すように、洗浄ボックス３４の下方には、モータ４６の駆動を受け回転するねじ４７が配設されており、洗浄ボックス３４はこのねじ４７に螺合するナット４８と連結されている。このため、洗浄ボックス３４は、モータ４６の駆動により往復移動する。そして、その移動方向は、インクジェットヘッド１８におけるスペーサ粒子分散液の吐出口１９の列設方向と一致するよう構成されている。また、その往復移動距離は、各インクジェットヘッド１８における、そのスペーサ粒子分散液の吐出口１９の列設方向のサイズに相当する距離となっている。
【００４５】
また、図９に示すように、超音波洗浄ユニット３５の下方には、モータ５１の駆動を受け回転するねじ５２が配設されており、超音波洗浄ユニット３５は、このねじ５２に螺合する図示しないナットと連結されている。このため、超音波洗浄ユニット３５は、モータ５１の駆動により往復移動する。そして、その移動方向も、インクジェットヘッド１８におけるスペーサ粒子分散液の吐出口１９の列設方向と一致するよう構成されている。また、その往復移動距離は、各インクジェットヘッドユニット１２における、インクジェットヘッド１８におけるスペーサ粒子分散液の吐出口１９の列設方向のサイズに相当する距離となっている。
【００４６】
図８および図１１に示すように、回転テーブル３６の下方には、洗浄部回動機構３７が配設されている。この洗浄部回動機構３７は、移動テーブル３８上に回動可能に配設された回動部材３９と、この回動部材３９に連結するねじ４１と、このねじ４１を回転するモータ４２とを備える。このため、モータ４２の駆動によりねじ４１を回転した場合には、回動部材３９がその中央部を中心として回動する。そして、回転テーブル３６は、この回動部材３９に固定されている。このため、回転テーブル３６は、モータ４２の駆動により、洗浄ボックス３４および超音波洗浄ユニット３５とともに回動する。
【００４７】
移動テーブル３８の下方には、透明基板１の搬送方向と直交する方向に延びる支持架４３が配設されている。この支持架４３上には、リニアモータ４４と、一対のリニアガイド４５とが配設されている。このため、移動テーブル３８は、リニアモータ４４の駆動を受け、一対のリニアガイド４５に沿って、透明基板１の搬送方向と直交する方向に往復移動可能となっている。そして、この移動テーブル３８の移動に伴い、洗浄ボックス３４および超音波洗浄ユニット３５も透明基板１の搬送方向と直交する方向に往復移動する構成となっている。
【００４８】
図１０に示すように、支持架４３の下方には、その両端が一対のガイド部材１６により案内される支持部材５３が配設されている。そして、この支持部材５３の下面には、上述したテーブル１１の移動に利用されるリニアモータ１５に適合するリニアモータ用コイル５４が配設されている。このため、支持架４３は、テーブル１１の移動用リニアモータ１５の駆動をうけ、洗浄部２２とともに、透明基板１の搬送方向に往復移動可能となっている。
【００４９】
以上のような構成により、洗浄部２２は、透明基板１の搬送方向およびこの搬送方向と直交する方向に往復移動するとともに、その回転角度位置を任意に変更できる。このため、この洗浄装置２２は、各インクジェットヘッドユニット１２と対向する洗浄位置と、インクジェットヘッドユニット１２から離隔した待機位置との間で移動可能な構成となっている。そして、インクジェットヘッド１８におけるスペーサ粒子分散液の吐出口１９の列設方向と透明基板１の搬送方向との交差角度が変更された場合にも、これに対応することが可能な構成となっている。
【００５０】
次に、上述した洗浄ユニット３１の構成について説明する。図１２は、洗浄ユニットを拡大して示す斜視図である。
【００５１】
この洗浄ユニット３１は、洗浄ボックス３４の上面に形成された開口部６１内に配置されるものであり、基部６３に形成された洗浄液吐出口６２と、同じく基部６３に形成された洗浄液の回収口６４と、基部６３上に配設された当接ブロック６５とを備える。この当接ブロック６５には、洗浄液吸引口６６が形成されている。この洗浄ユニット３１は、洗浄液としての純水を供給する供給管６７と、洗浄に供された純水を回収するための回収管６８とに接続されている。
【００５２】
図１３は、基部６３に形成された洗浄液吐出口６２とインクジェットヘッド１８におけるスペーサ粒子分散液の吐出口１９との配置関係を示す説明図である。
【００５３】
洗浄液吐出口６２は、インクジェットヘッド１８におけるスペーサ粒子分散液の吐出口１９から、スペーサ粒子分散液の吐出方向（図１３における上下方向）に第１の距離Ｈ１だけ離隔した位置に配置される。また、この洗浄液吐出口６２は、インクジェットヘッド１８におけるスペーサ粒子分散液の吐出口１９から、この吐出口１９の列設方向と直交する方向（図１３における左右方向）に距離Ｄ１だけ離隔した位置に配置される。そして、この洗浄液吐出口６２は、上方（垂線方向）向けて洗浄液を吐出することから、この洗浄液吐出口６２は、スペーサ粒子分散液の吐出口１９から、この吐出口１９の列設方向と直交する方向に距離Ｄ１だけ離隔した位置に洗浄液を吐出する構成となっている。
【００５４】
図１４は、基部６３上に配設された当接ブロック６５の斜視図であり、図１５は、当接ブロック６５とインクジェットヘッド１８の下面との当接状態を示す断面図である。
【００５５】
この当接ブロック６５は、インクジェットヘッド１８におけるスペーサ粒子分散液の吐出口１９から、この吐出口１９の列設方向と直交する方向（図１５における左右方向）に離隔した両側の位置に当接可能な一対の当接部６９を有する。そして、洗浄液吸引口６６は、一対の当接部６９の間に形成されている。この当接ブロック６５に形成された洗浄液吸引口６６は、スペーサ粒子分散液の吐出口１９から、スペーサ粒子分散液の吐出方向（図１５における上下方向）に、上述した第１の距離Ｈ１より小さい第２の距離Ｈ２だけ離隔した位置に配置されている。すなわち、一対の当接部６９の高さは、Ｈ２となっている。この洗浄液吸引口６６は、洗浄液吐出口６２からスペーサ粒子分散液の吐出口１９付近に向けて吐出された洗浄液を吸引するためのものである。
【００５６】
図１６は、洗浄ユニット３１の昇降機構を示す概要図である。
【００５７】
洗浄部２２における５個の洗浄ユニット３１は、一対のモータ７１の駆動で昇降する昇降架７２に対して、各々一対のバネ部材７３を介して連結されている。昇降架７２が下降位置にあるときには、洗浄ユニット３１の当接ブロック６５は、インクジェットヘッド１８の下面から離隔している。この状態で昇降架７２が上昇位置に移動すると、当接ブロック６５の一対の当接部６９がインクジェットヘッド１８の下面と当接する。この状態においては、当接ブロック６５に形成された洗浄液吸引口６６とスペーサ粒子分散液の吐出口１９との距離が、正確に上述した第２の距離Ｈ２となる。そして、このときには、当接ブロック６５の作用により、基部６３に形成された洗浄液吐出口６２とインクジェットヘッド１８におけるスペーサ粒子分散液の吐出口１９との距離が、正確に上述した第１の距離Ｈ１となる。
【００５８】
次に、洗浄部２２によるインクジェットヘッド１８の洗浄動作について説明する。
【００５９】
インクジェットヘッド１８を洗浄するときには、洗浄部２２を、図２に示す待機位置から、洗浄対象となるインクジェットヘッドユニット１２と対向する洗浄位置に移動させる。この洗浄位置は、インクジェットヘッドユニット１２における各インクジェットヘッド１８が、洗浄部２２における各洗浄ユニット３１と対向する位置である。この洗浄部２２の移動は、リニアモータ１５およびリニアモータ４４の駆動により実行される。
【００６０】
次に、洗浄部２２を、インクジェットヘッド１８におけるスペーサ粒子分散液の吐出口１９の列設方向と透明基板１の搬送方向との交差角度に対応させて回動させる。すなわち、インクジェットヘッド１８におけるスペーサ粒子分散液の吐出口１９の列設方向と洗浄ユニット３１の列設方向とを一致させる。この洗浄部２２の回動は、洗浄部回動機構３７のモータ４２の駆動により実行される。
【００６１】
インクジェットヘッドユニット１２における各インクジェットヘッド１８が洗浄部２２における各洗浄ユニット３１と対向する位置に配置されれば、図１６に示す一対のモータ７１の駆動により、５個の洗浄ユニット３１を同期して上昇させる。これにより、図１５に示すように、一対の当接部６９がインクジェットヘッド１８の下面におけるスペーサ粒子分散液の吐出口１９の両側の位置に当接する。このときには、洗浄液吸引口６６は、図１５に示すように、スペーサ粒子分散液の吐出口１９からスペーサ粒子分散液の吐出方向に第２の距離Ｈ２だけ離隔した位置に配置されており、洗浄液吐出口６２は、図１３に示すように、スペーサ粒子分散液の吐出口１９からスペーサ粒子分散液の吐出方向に第１の距離Ｈ１だけ離隔した位置に配置されている。
【００６２】
また、この状態においては、洗浄ユニット３１における洗浄液吐出口６２は、インクジェットヘッド１８におけるスペーサ粒子分散液の吐出口１９の列設方向の一端に対応する位置に配置されており、洗浄ユニット３１における洗浄液吸引口６６は、スペーサ粒子分散液の吐出口１９の列設方向の一端からさらに離隔した位置に配置されている。これにより、インクジェットヘッド１８におけるスペーサ粒子分散液の吐出口１９の全領域をその端部から洗浄することが可能となる。
【００６３】
次に、洗浄ユニット３１における洗浄液吐出口６２から洗浄液としての純水を吐出する。また、洗浄ユニット３１の洗浄液吸引口６６から吸引を開始する。そして、図８に示すモータ４６の駆動で洗浄ボックス３４を移動させることにより、５個の洗浄ユニット３１を一括して、インクジェットヘッド１８におけるスペーサ粒子分散液の吐出口１９の列設方向に移動させる。
【００６４】
洗浄液吐出口６２から吐出された純水は、図１３に示すように、スペーサ粒子分散液の吐出口１９から距離Ｄだけ離隔した位置に衝突した後、横方向に広がる。この純水により、インクジェットヘッド１８の下面が洗浄される。このとき、純水はスペーサ粒子分散液の吐出口１９から距離Ｄだけ離隔した位置に衝突し、直接吐出口１９に衝突することはないので、純水がスペーサ粒子分散液の吐出口１９に浸入することはない。
【００６５】
特に、インクジェットヘッド１８におけるスペーサ粒子分散液の吐出口１９付近の領域は、一般的に超撥水加工がなされていることから、純水をスペーサ粒子分散液の吐出口１９から距離Ｄだけ離隔した位置に衝突させることにより、純水がスペーサ粒子分散液の吐出口１９に浸入することを好適に防止することが可能となる。
【００６６】
このような状態で洗浄ユニット３１がスペーサ粒子分散液の吐出口１９の列設方向に移動することにより、インクジェットヘッド１８の下面におけるスペーサ粒子分散液の吐出口１９付近の領域が純水により洗浄される。そして、インクジェットヘッド１８の下面に付着した純水は、洗浄液吸引口６６により吸引除去される。また、インクジェットヘッド１８の下面から落下した純水は、回収口６４より回収される。そして、洗浄ユニット３１がスペーサ粒子分散液の吐出口１９の列設方向のサイズに相当する距離だけ移動すれば、インクジェットヘッド１８の洗浄が終了する。
【００６７】
なお、上述したように、スペーサ粒子分散液の吐出口１９内に純水を浸入させることなく好適に洗浄を実行するためには、洗浄液吐出口６２とスペーサ粒子分散液の吐出口１９との距離Ｈ１を３ｍｍ乃至７ｍｍ程度とすることが好ましく、また、洗浄液吐出口６２とスペーサ粒子分散液の吐出口１９との吐出口１９の列設方向と直交する方向の距離Ｄは、２ｍｍ乃至４．５ｍｍとすることが好ましい。さらに、洗浄液吐出口６２の直径を０．１ｍｍ乃至１ｍｍ程度に設定し、毎分１５ミリリットル乃至３０ミリリットル程度の純水を吐出することで、スペーサ粒子分散液の吐出口１９内に純水を浸入させることなく好適に洗浄を実行することが可能となる。
【００６８】
また、この洗浄ユニット３１は、洗浄液吸引口６６を、スペーサ粒子分散液の吐出口１９から第２の距離Ｈ２だけ離隔し、かつ、洗浄液吐出口６２からスペーサ粒子分散液の吐出口１９の列設方向に離隔した位置に配置していることから、インクジェットヘッド１８の下面と洗浄ユニット３１との間が液密になって純水を吸引するときにスペーサ粒子分散液をも吸引して吐出不良を生ずることを有効に防止することができる。
【００６９】
このとき、洗浄液吸引口６６とスペーサ粒子分散液の吐出口１９との距離Ｈ２を０．２ｍｍ乃至１ｍｍ程度とすることが好ましく、洗浄液吸引口６６と洗浄液吐出口６２とのスペーサ粒子分散液の吐出口１９の列設方向の距離を５ｍｍ乃至１０ｍｍとすることが好ましい。また、洗浄液吸引口６６からの吸引圧力は−０．５ｋＰａ乃至−４．５ｋＰａとすることが好ましい。
【００７０】
以上の洗浄ユニット３１による洗浄動作は、一定のサイクルで実行される。また、これと同様に、吸引キャップ３３によるスペーサ粒子分散液の吐出口１９の吸引動作も実行される。この吸引キャップ３３は、インクジェットヘッド１８の下面との当接部にフッ素ゴム等の弾性シール部材を有し、それをインクジェットヘッド１８の下面に当接させて密閉空間を形成する。そして、この密閉空間を吸引することにより、インクジェットヘッド１８のスペーサ粒子分散液の吐出口１９の閉塞を防止するものである。
【００７１】
吸引キャップ３３による吸引動作を実行するときには、洗浄ユニット３１の場合と同様、リニアモータ１５およびリニアモータ４４の駆動により洗浄部２２を移動させるとともに、洗浄部回動機構３７のモータ４２の駆動により洗浄部を回動させることにより、インクジェットヘッドユニット１２における各インクジェットヘッド１８が、洗浄部２２における各吸引キャップ３３と対向する位置まで移動させる。
【００７２】
インクジェットヘッド１８のスペーサ粒子分散液の吐出口１９から不要な洗浄液としての純水やスペーサ粒子分散液を吐出したい場合には、各インクジェットヘッド１８が捕獲部３２と対向する位置に移動する。この捕獲部３２は、不要な純水やスペーサ粒子分散液を、装置を汚染することなく外部に排出するために使用される。
【００７３】
捕獲部３２への吐出動作を実行するときには、洗浄ユニット３１や吸引キャップ３３の場合と同様、リニアモータ１５およびリニアモータ４４の駆動により洗浄部２２を移動させるとともに、洗浄部回動機構３７のモータ４２の駆動により洗浄部を回動させることにより、インクジェットヘッドユニット１２における各インクジェットヘッド１８が、洗浄部２２における各捕獲部３２と対向する位置まで移動させる。
【００７４】
インクジェットヘッド１８のスペーサ粒子分散液の吐出口１９が閉鎖した場合等においては、超音波洗浄ユニット３５による洗浄が実行される。この超音波洗浄ユニット３５は、超音波振動が付与された洗浄液を貯留する超音波洗浄槽を備え、この超音波洗浄槽内にインクジェットヘッド１８を浸漬することにより洗浄を行うものである。なお、この超音波洗浄動作は、塗布動作を完全に停止した状態で実行される。
【００７５】
超音波洗浄を実行するときには、洗浄ユニット３１、吸引キャップ３３、捕獲部３２の場合と同様、リニアモータ１５およびリニアモータ４４の駆動により洗浄部２２を移動させるとともに、洗浄部回動機構３７のモータ４２の駆動により洗浄部２２を回動させることにより、インクジェットヘッドユニット１２の端部に位置するインクジェットヘッド１８が、超音波洗浄ユニット３５と対向する位置まで移動させる。そして、一つのインクジェットヘッドユニット１２を洗浄するたびに、図９に示すモータ５１の駆動により、超音波洗浄ユニット３５を、インクジェットヘッド１８におけるスペーサ粒子分散液の吐出口１９の列設方向に移動させる。
【００７６】
なお、上述した実施形態では、透明基板１を載置したテーブル１１を主走査方向に移動させながら、１２個のインクジェットヘッドユニット１２によりスペーサ粒子分散液を吐出することにより、透明基板１にスペーサ粒子を含むスペーサ領域を形成したが、本発明はこれに限定されない。すなわち、透明基板１を載置したテーブル１１を静止させ、１２個のインクジェットヘッドユニット１２を支持するガントリー１３を主走査方向に移動させながらインクジェットヘッドユニット１２によりスペーサ粒子分散液を吐出することにより、透明基板１にスペーサ領域を形成する構成を採用してもよい。
【符号の説明】
【００７７】
１      透明基板
５      スペーサ領域
７      ブラックマトリックス
１１    テーブル
１２    インクジェットヘッドユニット
１３    ガントリー
１４    基台
１５    リニアモータ
１６    ガイド部材
１７    ヘッド支持板
１８    インクジェットヘッド
１９    吐出口
２１    リニアモータ
２２    洗浄部
２３    乾燥防止部
２４    リニアガイド
２５    リニアスケール
２６    リニアモータ
３１    洗浄ユニット
３２    捕獲部
３３    吸引キャップ
３４    洗浄ボックス
３５    超音波洗浄ユニット
３６    回転テーブル
３７    洗浄部回動機構
３８    移動テーブル
３９    回動部材
４３    支持架
４４    リニアモータ
４５    リニアガイド
５４    リニアモータ用コイル
６２    洗浄液吐出口
６３    基部
６４    回収口
６５    当接ブロック
６６    洗浄液吸引口
６９    当接部
７２    昇降架
７３    バネ部材
【図１】
2010210771.tif 000003
【図２】
2010210771.tif 000004
【図３】
2010210771.tif 000005
【図４】
2010210771.tif 000006
【図５】
2010210771.tif 000007
【図６】
2010210771.tif 000008
【図７】
2010210771.tif 000009
【図８】
2010210771.tif 000010
【図９】
2010210771.tif 000011
【図１０】
2010210771.tif 000012
【図１１】
2010210771.tif 000013
【図１２】
2010210771.tif 000014
【図１３】
2010210771.tif 000015
【図１４】
2010210771.tif 000016
【図１５】
2010210771.tif 000017
【図１６】
2010210771.tif 000018
【手続補正書】
【提出日】平成21年3月16日(2009.3.16)
【手続補正１】
【補正対象書類名】明細書
【補正対象項目名】００５３
【補正方法】変更
【補正の内容】
【００５３】
洗浄液吐出口６２は、インクジェットヘッド１８におけるスペーサ粒子分散液の吐出口１９から、スペーサ粒子分散液の吐出方向（図１３における上下方向）に第１の距離Ｈ１だけ離隔した位置に配置される。また、この洗浄液吐出口６２は、インクジェットヘッド１８におけるスペーサ粒子分散液の吐出口１９から、この吐出口１９の列設方向と直交する方向（図１３における左右方向）に距離Ｄだけ離隔した位置に配置される。そして、この洗浄液吐出口６２は、上方（垂線方向）に向けて洗浄液を吐出することから、この洗浄液吐出口６２は、スペーサ粒子分散液の吐出口１９から、この吐出口１９の列設方向と直交する方向に距離Ｄだけ離隔した位置に洗浄液を吐出する構成となっている。